(57)【要約】 【課題】  本発明は、雪止め部材の底面部と屋根面との間隔を保持し、空気の流通を促進するとともに雨水の蓄まりを排除し、屋根面から家屋内への洩水を未然に防止するとともにスギコケなどの発生繁茂を防止することを目的とする 【解決手段】  側面視三角形状に成る雪止め部材１を構成する多数の三角線材に対して間隔をおいて、垂直線部２間には縦水平線材１０・・を，水平線材３・・間には横水平線材９・・を，傾斜線部４・・間には傾水平線材１１，１１をそれぞれ架設し、このように成る雪止め部材の左右両端部に定置板６，６を設け、この定置板に凸形状に成る間隔材８，８を設け、この両定置板の後端部間に調整板７を架設して成るものである。また、前記両定置板間に架設した調整板の任意箇所に任意の雪止め取付具を連結するように成るものである。【選択図】    図１
2015209749.tif 000002
【特許請求の範囲】
【請求項１】
側面視三角形状に成る雪止め部材を構成する多数の三角線材に対して間隔をおいて、垂直線部間には縦水平線材を，水平線材間には横水平線材を，傾斜線部間には傾水平線材をそれぞれ架設し、このように成る雪止め部材の左右両端部に定置板を設け、この定置板に凸形状に成る間隔材を設け、この両定置板の後端部間に調整板を架設して成ることを特徴とする屋根用雪止め器。
【請求項２】
前記両定置板間に架設した調整板の任意箇所に任意の雪止め取付具を連結するように成ることを特徴とする屋根用雪止め器。
【発明の詳細な説明】
【技術分野】
【０００１】
本発明は、屋根用雪止め器に関するものである。
【背景技術】
【０００２】
従来、線材を曲折加工して編成する屋根用の雪止め器具としては、次に例示するようなものが公知となっているが、屋根の形態などに合わせて取付け施工することができるものではなかったし、また雪止め部材の底面部と屋根面とが密接状態で空気の流通がなく雨水が溜まり易いことから、屋根面内部への洩水やスギコケの繁茂などが起こっていた。
【先行技術文献】
【特許文献】
【０００３】
【特許文献１】特開２００６−２０７２３４号公報（特許第４６７６７７３号）
【特許文献２】特開２００８−２９１５３２号公報
【特許文献３】特開２０１０−１６０６号公報
【特許文献４】特開２０１３−９６０５６号公報
【発明の概要】
【発明が解決しようとする課題】
【０００４】
そこで、本発明は、前記のような雪止め装置の欠点を改良し、雪止め部材の底面部と屋根面との間隔を保持し、空気の流通を促進するとともに雨水の蓄まりを排除し、屋根面から家屋内への洩水を未然に防止するとともにスギコケなどの発生繁茂を防止することを目的とするものである。
【課題を解決するための手段】
【０００５】
本発明は、側面視三角形状に成る雪止め部材を構成する多数の三角線材に対して間隔をおいて、垂直線部間には縦水平線材を，水平線材間には横水平線材を，傾斜線部間には傾水平線材をそれぞれ架設し、このように成る雪止め部材の左右両端部に定置板を設け、この定置板に凸形状に成る間隔材を設け、この両定置板の後端部間に調整板を架設して成るものである。
【０００６】
また、本発明は、前記両定置板間に架設した調整板の任意箇所に任意の雪止め取付具を連結するように成るものである。
【発明の効果】
【０００７】
第１に、多数の三角線材を間隔をおいて構成する雪止め部材は縦横斜めの線材によってます目部分が矩形状に形成されているから、特に傾斜面部分における積雪の溶解現象を促進することができる。
【０００８】
即ち、特に積雪量の多い傾斜面部分における線材の組み合わせ態様が、縦横の長さの異なる矩形状に成ることから、積雪の溶解が促進されることになるのである。
【０００９】
第２に、前記三角線材の底面部に当たる左右両側定板上に、側面凸形状の間隔材を設置することによって空気の円滑な流通を図ることができるから、各三角線材間の積雪の溶解を促進することができるようになる。
【００１０】
第３に、以上のような構成の雪止め部材の後端部間に設けた調整板上の適所には雪止め用の取付具を取付けるようにする。
【図面の簡単な説明】
【００１１】
【図１】全体の斜視図
【図２】一使用例を示す斜視図
【図３】図１の側面図
【図４】図２の側面図
【図５】雪止め取付具の例の斜視図
【図６】雪止め取付具の例の斜視図
【図７】雪止め取付具の例の斜視図
【図８】雪止め取付具の例の斜視図
【発明を実施するための形態】
【００１２】
側面視三角形状に成る雪止め部材においては、垂直線部と水平線部と傾斜線部から成る三角線材を等間隔に組合わせて構成するものであるところ、これら三角線材による各ます目部分は、水平線部分が垂直線部分や傾斜線部分より長い矩形状に成るものである。
【００１３】
また、前記雪止め部材と一体に成る左右両側部の定置部材間に架設した調整板の適所には、雪止め部材の取付具を設置することになるが、この取付具の構成は使用目的によって各種のものを用意することになる。
【実施例１】
【００１４】
１は全体が側面視三角形状の垂直部と底面部と傾斜面部の線材から成る雪止め部材で、この部材全体の各部は次のような三方向への三角線材の組合せから成り、垂直線部２と水平線部３・・と傾斜線部４・・は、それぞれ等間隔に立設する。
【００１５】
前記各三角線材においては、垂直線部２・・間には上中下側に縦水平線材９・・を架設し、水平線部３・・間には横水平線材１０・・を架設し、傾斜線部４・・間には傾水平線材１１・・を架設する。
【００１６】
前記雪止め部材１を構成する各線材による縦横斜めにおける各ます目部分５・・を見ると、それぞれ横線材部が長く縦及び斜めの各線材部が短い矩形状に構成されていることを特徴とする。
【００１７】
６，６は前記雪止め部材１が載置する左右両側端部に設けた定置板で、この左右両部の定置板の後端部間には調整板７が架設固着する。
【００１８】
８，８は前記定置板６，６上にそれぞれ設置した凸形状に成る間隔材で、この間隔材間には前記三角形状の雪止め部材の各水平線部３・・に固着した横水平線材９・・が架設する。
【００１９】
１２，１２は前記調整板７の左右両側部に設けた取付孔で、この取付孔には各種の雪止め取付具１３，１３が取付くようになる。
【符号の説明】
【００２０】
１                            雪止め部材
２                            垂直線部
３・・                        水平線部
４・・                        傾斜線部
５・・                        ます目部分
６，６                        定置板
７                            調整板
８，８                        間隔材
９・・                        横水平線材
１０・・                      縦水平線材
１１，１１                    傾水平線材
１２，１２                    取付孔
１３，１３                    取付具
【図１】
2015209749.tif 000003
【図２】
2015209749.tif 000004
【図３】
2015209749.tif 000005
【図４】
2015209749.tif 000006
【図５】
2015209749.tif 000007
【図６】
2015209749.tif 000008
【図７】
2015209749.tif 000009
【図８】
2015209749.tif 000010
【手続補正書】
【提出日】平成26年7月23日(2014.7.23)
【手続補正１】
【補正対象書類名】明細書
【補正対象項目名】全文
【補正方法】変更
【補正の内容】
【発明の詳細な説明】
【技術分野】
【０００１】
本発明は、屋根用雪止め器に関するものである。
【背景技術】
【０００２】
従来、線材を曲折加工して編成する屋根用の雪止め器具としては、次に例示するようなものが公知となっているが、屋根の形態などに合わせて取付け施工することができるものではなかったし、また雪止め部材の底面部と屋根面とが密接状態で空気の流通がなく雨水が溜まり易いことから、屋根面内部への洩水やスギコケの繁茂などが起こっていた。
【先行技術文献】
【特許文献】
【０００３】
【特許文献１】特開２００６−２０７２３４号公報（特許第４６７６７７３号）
【特許文献２】特開２００８−２９１５３２号公報
【特許文献３】特開２０１０−１６０６号公報
【特許文献４】特開２０１３−９６０５６号公報
【発明の概要】
【発明が解決しようとする課題】
【０００４】
そこで、本発明は、前記のような雪止め装置の欠点を改良し、雪止め部材の底面部と屋根面との間隔を保持し、空気の流通を促進するとともに雨水の蓄まりを排除し、屋根面から家屋内への洩水を未然に防止するとともにスギコケなどの発生繁茂を防止することを目的とするものである。
【課題を解決するための手段】
【０００５】
本発明は、側面視三角形状に成る雪止め部材を構成する多数の三角線材に対して間隔をおいて、垂直線部間には縦水平線材を，水平線材間には横水平線材を，傾斜線部間には傾水平線材をそれぞれ架設し、このように成る雪止め部材の左右両端部に定置板を設け、この定置板に凸形状に成る間隔材を設け、この両定置板の後端部間に調整板を架設して成るものである。
【０００６】
また、本発明は、前記両定置板間に架設した調整板の任意箇所に、任意の雪止め取付具を連結するように成るものである。
【発明の効果】
【０００７】
第１に、多数の三角線材を間隔をおいて構成する雪止め部材は縦横斜めの線材によってます目部分が矩形状に形成されているから、特に傾斜面部分における積雪の溶解現象を促進することができる。
【０００８】
即ち、特に積雪量の多い傾斜面部分における線材の組み合わせ態様が、縦横の長さの異なる矩形状に成ることから、積雪の溶解が促進されることになるのである。
【０００９】
第２に、前記三角線材の底面部に当たる左右両側定板上に、側面凸形状の間隔材を設置することによって空気の円滑な流通を図ることができるから、各三角線材間の積雪の溶解を促進することができるようになる。
【００１０】
第３に、以上のように成る雪止め部材の後端部間に設けた調整板の任意の適所には雪止め用の取付具を取付けるようにする。
【図面の簡単な説明】
【００１１】
【図１】全体の斜視図
【図２】一使用例を示す斜視図
【図３】図１の側面図
【図４】図２の側面図
【図５】雪止め取付具の例の斜視図
【図６】雪止め取付具の例の斜視図
【図７】雪止め取付具の例の斜視図
【図８】雪止め取付具の例の斜視図
【発明を実施するための形態】
【００１２】
側面視三角形状に成る雪止め部材においては、垂直線部と水平線部と傾斜線部から成る三角線材を等間隔に組合わせて構成するものであるところ、これら三角線材による各ます目部分は、水平線部分が垂直線部分や傾斜線部分より長い矩形状に成るものである。
【００１３】
また、前記雪止め部材と一体に成る左右両側部の定置部材間に架設した調整板の適所には、雪止め部材の取付具を設置することになるが、この取付具の構成は使用目的によって各種のものを用意することになる。
【実施例１】
【００１４】
１は全体が側面視三角形状の垂直部と底面部と傾斜面部の線材から成る雪止め部材で、この部材全体の各部は次のような三方向への三角線材の組合せから成り、垂直線部２と水平線部３・・と傾斜線部４・・は、それぞれ等間隔に立設する。
【００１５】
前記各三角線材においては、垂直線部２・・間には上中下側に縦水平線材９・・を架設し、水平線部３・・間には横水平線材１０・・を架設し、傾斜線部４・・間には傾水平線材１１・・を架設する。
【００１６】
前記雪止め部材１を構成する各線材による縦横斜めにおける各ます目部分５・・を見ると、それぞれ横線材部が長く縦及び斜めの各線材部が短い矩形状に構成されていることを特徴とする。
【００１７】
６，６は前記雪止め部材１が載置する左右両側端部に設けた定置板で、この左右両部の定置板の後端部間には調整板７を架設する。
【００１８】
８，８は前記定置板６，６上にそれぞれ設置した凸形状に成る間隔材で、この間隔材間には前記三角形状の雪止め部材の各水平線部３・・に固着した横水平線材９・・が架設する。
【００１９】
１２，１２は前記調整板７の左右両側部に設けた取付孔で、この取付孔には各種の雪止め取付具１３，１３が取付くようになるが、取付孔なしでも、調整板７上の雪止め取付具を左右方向に移動して適位置で固定するようにしてもよい。
【００２０】
本発明の単体の雪止め部材１の構成は以上の通りであるが、この単体を連続した複体の雪止め部材の構成にしてもよい。これは、施工する屋根の面積等に適合させるためである。
【符号の説明】
【００２１】
１                            雪止め部材
２                            垂直線部
３・・                        水平線部
４・・                        傾斜線部
６，６                        定置板
７                            調整板
８，８                        間隔材
９・・                        横水平線材
１０・・                      縦水平線材
１１，１１                    傾水平線材
１３，１３                    取付具
【手続補正２】
【補正対象書類名】特許請求の範囲
【補正対象項目名】請求項２
【補正方法】変更
【補正の内容】
【請求項２】
両定置板間に架設した調整板の任意箇所に、任意の雪止め取付具を連結するように成る請求項１に記載する屋根用雪止め器。